(57)【要約】【課題】  複数の視点から見た画像を合成して表示画面に表示し、それを各視点毎の画像に分離することのできる光学手段を介して視認せしめる立体視映像表示装置において発生する色縞を抑えること。【解決手段】  表示パネルと、カラーフィルタと、レンズ板とを備えた立体視映像表示装置において、カラーフィルタは、ピクセルの配色パターンが、対象ピクセルの上にあるピクセルの配色パターンを水平走査方向にずらしたパターンとして配色されることにより、立体視画像を表示した際に、色縞を抑制し、高画質な映像を映し出すことができる。【選択図】  図１０
2005234198.tif 000002
【特許請求の範囲】
【請求項１】
カラーフィルタが格子状に配列された表示パネルと、
前記表示パネルにおいて表示された複数視点用の画像を各視点毎の画像に分離するための光学手段と、
を備える立体視映像表示装置であって、
前記表示パネルは、前記配列パターンを行毎にずらして配列されたカラーフィルタで構成されていること、
を特徴とする立体視映像表示装置。
【請求項２】
単一では単色の自発光素子を、複数色格子状に配列することによりカラー表示を可能とした表示パネルと、
前記表示パネルにおいて表示された複数視点用の画像を各視点毎の画像に分離するための光学手段と、
を備える立体視映像表示装置であって、
前記表示パネルは、前記配列のカラーパターンを行毎にずらして配列されていること、
を特徴とする立体視映像表示装置。
【請求項３】
単一では単色の画素を複数色格子状に配列することによりカラー表示を可能とした表示パネルと、
前記表示パネルにおいて表示された複数視点用の画像を各視点毎の画像に分離するための光学手段と、
を備える立体視映像表示装置であって、
前記表示パネルは、前記配列のカラーパターンを行毎にずらして配列されていること、
を特徴とする立体視映像表示装置。
【請求項４】
請求項１から３のいずれか一項に記載の立体視映像表示装置において、
前記光学手段は、ライン状の焦点であるフォーカスラインの方向が、前記表示パネルの列方向（垂直走査方向）に対して斜めになるように配置されたレンチキュラレンズであること、
を特徴とする立体視映像表示装置。
【請求項５】
請求項１から３のいずれか一項に記載の立体視映像表示装置において、
前記光学手段は、レンズピッチ方向を前記表示パネルの格子の行方向（水平走査方向）に平行に連接されたマイクロレンズ群が、行方向に所定量ずつずらされて列方向（垂直走査方向）に配列されて成るレンチキュラレンズであること、
を特徴とする立体視映像表示装置。
【請求項６】
請求項１から３のいずれか一項に記載の立体視映像表示装置において、
前記光学手段は、バリア開口部が前記表示パネルの列方向（垂直走査方向）に対して斜めになるように配置されたパララックスバリアであること、
を特徴とする立体視映像表示装置。
【請求項７】
請求項１から３のいずれか一項に記載の立体視映像表示装置において、
前記光学手段は、各バリアのバリア開口部を前記表示パネルの列方向（垂直走査方向）に平行とし且つ行方向（水平走査方向）に連接されたバリア群が行方向に所定量ずつずらされて、列方向に配列されて成るパララックスバリアであること、
を特徴とする立体視映像表示装置。
【発明の詳細な説明】
【技術分野】
【０００１】
本発明は、複数の視点から見た画像を合成して表示画面に表示し、それを各視点毎の画像に分離することのできる光学手段（例えば、レンチキュラレンズやパララックスバリア等）を介して視認せしめる立体視映像表示装置に関するものである。
【背景技術】
【０００２】
近年では、立体視映像表示装置の開発が多く行われている。立体視映像表示装置とは、両眼の視差を利用した表示装置である。人の両目は左右に離れて位置するために、各目がとらえる映像には若干のずれがあり、この視差によって立体感が認識されている。立体視映像表示装置は、この両眼視差を意図的に発生させて立体視映像を実現するものである。
【０００３】
両眼視差を意図的に発生させる方法は様々に存在するが、中でもレンチキュラレンズ板（以下、「レンズ板」という。）若しくはパララックスバリア板（以下、合わせて「レンズ板等」という。）の光学手段を用いた表示方法が大掛かりな装置を必要としないことや画像作成が比較的容易であることから注目を集めている。表示画面に、レンズ板等を装着し、人がレンズ板等を介して表示画面を見るという方法である。
【０００４】
一般にレンズ板には複数のマイクロレンズ（以下、「レンズ」という。）が集積されている。各レンズのレンズピッチは複数の画素分に相当し、レンズによって各画素から出射される光に指向性を与えている。具体的には、見る位置に応じて異なる画素が認識されるようにレンズが光を屈折させる。故に人が理想的な位置からレンズ板を介して表示画面を見ると、左右に離れた２つの目がそれぞれ異なる画像を捉えて立体視映像を認識することとなる（例えば、特許文献１参照）。
【特許文献１】特開平９−１９７３４３号公報
【０００５】
また、パララックスバリア板とは、光を遮蔽する板に、光を透過させるためのバリア開口部であるスリット状の孔が多数設けられたもので、各スリットのピッチは複数の画素分に相当し、スリットによって、各画素から出射される光に指向性を与えている。これによって、レンズ板による構成と同じように、立体視映像を認識させることが可能となる。
【０００６】
ここで、本明細書中で述べる平面視映像、立体視映像とは、両眼視差によって観察者の大脳内で形成される像（映像）を示し、平面視画像、立体視画像とは、表示画面に表示されている像（画像）を示すものとする。
【０００７】
また、一般的に、立体視映像表示装置は、液晶等の表示パネルを用いて構成されている。その中でもストライプ配列と呼ばれる画素（サブピクセル）が格子状に配列され、各画素上に赤（Ｒ）、緑（Ｇ）、青（Ｂ）に着色されたカラーフィルタが列方向（垂直走査方向）に同色となるように配置された表示パネルが多く用いられている。
【０００８】
画素が格子状に配列された表示パネルを用いた立体視映像表示装置には、表示パネルのブラックマトリクス（非発光部分）が、レンズ板等の立体視用の光学手段によって強調されることでモアレが生じることが知られている。このモアレの発生を抑えるため、行方向（水平走査方向）に対して、レンズ板のレンズピッチ方向（マイクロレンズの連接する方向）が角度θをなすように配置された（逆に言えば、列方向（垂直走査方向）の配列に対して、レンズ方向（１つのマイクロレンズの長手方向）が角度θをなすように配置された）ものがある。なお、以下においては、このブラックマトリクスによるモアレのことを単に「モアレ」ということとする。
【発明の開示】
【発明が解決しようとする課題】
【０００９】
ところで、光学手段としてレンチキュラレンズを用いた場合、レンズによって表示パネルに表示された複数視点用の画像が視点ごとに分離されるが、各視点に対応するフォーカスライン（各レンズのライン状の焦点）上の画素の色が拡大されて各当該視点用の画像となるため、もとの表示画面の解像度（＝立体視画像の解像度）よりも解像度が粗くなって視認される（個別視点の映像）。
【００１０】
また、パララックスバリアを用いた場合、各画素の拡大はなされないが、バリア開口部によって外部へ出射可能となる部分は、隣接するバリア開口部の間隔となるため、やはり、もとの表示画面の解像度（＝立体視画像の解像度）よりも解像度が粗くなって視認される（個別視点の映像）。
【００１１】
いずれにせよ、光学手段により立体視画像を各視点毎の画像に分離する場合には、立体視画像を短冊状に、左右方向に間隔をおいて分離することとなる。すなわち、レンチキュラレンズであればフォーカスラインの間隔（レンズピッチ）がその間隔となり、パララックスバリアであればバリア開口部の間隔がその間隔となる。
【００１２】
上記間隔によって立体視画像が短冊状に選択され、各個別視点の画像に分離されることとなるが、その短冊状に選択された部分の表示パネルの各画素の色、すなわち、カラーフィルタの色が色縞として視認され、これが目障りとなるという問題点が分かった。特に、モアレの発生を抑制するためにレンズやバリア開口部が斜めに配置されている場合には、色縞も斜めになって発生するため、より目障りなものとなって観察されてしまうという問題点が分かった。
【００１３】
本発明は以上の問題点を解決するために為されたものである。
【課題を解決するための手段】
【００１４】
上記課題を解決するために、第１の発明の立体映像表示装置は、
カラーフィルタが格子状に配列された表示パネル（例えば、図１の表示パネル３０）と、
前記表示パネルにおいて表示された複数視点用の画像を各視点毎の画像に分離するための光学手段（例えば、図１のレンズ板１０）と、
を備える立体視映像表示装置であって、
前記表示パネルは、前記配列パターンを行毎にずらして配列されたカラーフィルタ（例えば、図１２の第３カラーフィルタ２０ｃ）で構成されていること、
を特徴とする。
【００１５】
第１の発明の立体視映像表示装置によれば、列方向の画素の発光色のパターンが行毎にずらされたカラーフィルタを備えることにより、配色パターンが同一であって各行のズレがないカラーフィルタで構成されている立体視映像表示装置に比べて、色縞を抑制することができる。従って、観察者は高画質な立体視映像を認識することができ、長時間視聴、鑑賞、観察等を続けていても目が疲れないといった効果が期待できる。
【００１６】
また、第２の発明の立体視映像表示装置のように、
単一では単色の自発光素子（例えば、有機ＥＬの画素）を、複数色格子状に配列することによりカラー表示を可能とした表示パネルと、
前記表示パネルにおいて表示された複数視点用の画像を各視点毎の画像に分離するための光学手段（例えば、図１のレンズ板１０）と、
を備える立体視映像表示装置であって、
前記表示パネルは、前記配列のカラーパターンを行毎にずらして配列されていること、
を特徴としてもよい。
【００１７】
また、第３の発明の立体視映像表示装置のように、
単一では単色の画素（例えば、単色のフィルタが配置された液晶の画素や有機ＥＬの画素）を複数色格子状に配列することによりカラー表示を可能とした表示パネルと、
前記表示パネルにおいて表示された複数視点用の画像を各視点毎の画像に分離するための光学手段（例えば、図１のレンズ板１０）と、
を備える立体視映像表示装置であって、
前記表示パネルは、前記配列のカラーパターンを行毎にずらして配列されていること、
を特徴としてもよい。
【００１８】
また、第４の発明のように、第１の発明から第３の発明のいずれか一の発明に記載された立体視映像表示装置において、
前記光学手段は、ライン上の焦点であるフォーカスラインの方向が、前記表示パネルの列方向（垂直走査方向）に対して斜めになるように配置されたレンチキュラレンズ（例えば、図６のレンズＬ１２）であること、
として構成してもよい。
【００１９】
また、第５の発明のように、第１の発明から第３の発明のいずれか一の発明に記載された立体視映像表示装置において、
前記光学手段は、レンズピッチ方向を前記表示パネルの格子の行方向（水平走査方向）に平行に連接されたマイクロレンズ群が、行方向に所定量ずつずらされて列方向（垂直走査方向）に配列されて成るレンチキュラレンズ（例えば、図２１の階段レンチキュラレンズ１２）であること、
を特徴としてもよい。
【００２０】
また、第６の発明のように、第１の発明から第３の発明のいずれか一の発明に記載された立体視映像表示装置において、
前記光学手段は、バリア開口部が前記表示パネルの列方向（垂直走査方向）に対して斜めになるように配置されたパララックスバリア（例えば、図２４のパララックスバリアＰ１０）であること、
を特徴としてもよい。なお、図２４には一部のバリアのみを示しているが、実際には図に示した単位バリアＰ１０が行方向に連接されて全体のバリアを構成している。
【００２１】
また、第７の発明のように、第１の発明から第３の発明のいずれか一の発明に記載された立体視映像表示装置において、
前記光学手段は、各バリアのバリア開口部を前記表示パネルの列方向（垂直走査方向）に平行とし且つ行方向（水平走査方向）に連接されたバリア群が行方向に所定量ずつずらされて、列方向に配列されて成るパララックスバリア（例えば、図２７の階段パララックス単位バリアＰ１０ｂ）であること、
を特徴としてもよい。なお、図２７には一部のバリアのみを示しているが、実際には図に示した階段パララックス単位バリアＰ１０ｂがそれぞれ行方向に連結されて全体のバリアを構成している。
【発明の効果】
【００２２】
本発明によれば、複数の視点から見た画像を合成して表示画面に表示し、それを各視点毎の画像に分離することのできる光学手段を介して視認せしめる立体視映像表示装置は、行毎に配色パターンがずらされた表示パネルを備える。これにより、配色パターンが同一であって各行のズレがない画素で構成されている立体視映像表示装置に比べて、本発明は色縞を抑制することができる。また、本発明によれば、観察者は高画質な立体視映像を認識することができ、長時間視聴、鑑賞、観察等を続けていても目が疲れないといった効果が期待できる。
【発明を実施するための最良の形態】
【００２３】
以下に、本発明を適用した実施の形態を図面を参照して説明する。尚、立体視映像表示装置の画像表示手段として平面液晶ディスプレイを用いる場合を例に説明するが、本発明の適用についてはこの場合に限定されるものではない。また、立体視映像表示装置に設置される光学手段としては、例えばレンチキュラレンズを配置したもの、レンチキュラレンズを階段状に配置したもの、パララックスバリアを配置したもの、パララックスバリアを階段状に配置したもの、縦横に格子状のレンズが並ぶいわゆる蠅の目レンズを配置したもの等の様々な種類のものが考えられるが、以下では光学手段としてレンチキュラレンズ板を用いた実施形態を代表例として説明する。
【００２４】
また、レンチキュラレンズ板には両面に凹凸の有るものが有るが、本実施の形態で扱うレンチキュラレンズ板は、一方の面が凹凸を有し、他方の面が略平面状のレンズ板であり、凹凸面は、半円筒状もしくはこれと光学的に等価なマイクロレンズ（レンチキュラレンズ板を構成する単位レンズ）が連続して配列されたものである。以下では、レンチキュラレンズ板を単にレンズ板と言い、マイクロレンズ（単位レンズ）を単にレンズと言う。
【００２５】
また、ディスプレイとしては、発光色が決められた画素が格子状に配置されたカラー表示可能なものであり、上記の光学手段を組み合わせることで立体視が可能になるものであれば種類は問わない。例えば、カラーフィルタ方式の液晶ディスプレイ、プラズマディスプレイ、無機ＥＬ（Electroluminescence）ディスプレイ又は有機ＥＬディスプレイ等が考えられる。さらに、カラーフィルタを使わないものでも、単色発光素子を配列した有機ＥＬディスプレイやＬＥＤ（Light Emitting Diode）ディスプレイのように、赤（Ｒ）、緑（Ｇ）、青（Ｂ）等の単色に自発光する素子を配置したディスプレイであれば、適用可能である。以下では、ディスプレイとして液晶ディスプレイを用いるものとして説明する。
【００２６】
［１．立体視の仕組み］
まず、立体視映像表示装置について説明する。説明の簡単化のために２眼式の立体視映像表示装置を例にとり、レンズ板はそのマイクロレンズの方向が表示パネルの画素配列方向に沿って平行に配列されているもの（以下、「平行配置」という。）として説明する。ここで２眼式とは、立体視映像表示装置において、２つの指向方向に対してそれぞれ異なる画像を表示する方式のことである。
【００２７】
図１は、２眼式の立体視映像表示装置１の表示面に対する垂直断面を簡略的に示した図である。より正確には、図１は、立体視映像表示装置の表示面の横方向、即ち、観察者の両目を含む直線に対して平行で、画像表示面に垂直な断面を示す図である。
【００２８】
同図によれば立体視映像表示装置１は、レンズ板１０と、カラーフィルタ２０及び液晶パネル３５を備えた表示パネル３０と、バックライト４０とを備えて構成されている。レンズ板１０、表示パネル３０、バックライト４０はそれぞれ板状体であって、互いに平行に配設される。バックライト４０は、光を出射し、その光は表示パネル３０と、レンズ板１０とを通過して立体視映像表示装置１の外に進行する。即ち、観察者はレンズ板１０を介して表示パネル３０に表示された画像を見ることとなる。
【００２９】
レンズ板１０は、各レンズ（マイクロレンズ）のレンズピッチＸ（レンズ端１０ｂからレンズ端１０ｃまでの横方向の幅であり、マイクロレンズの幅方向の長さ）が、２サブピクセル分に相当するように設計され、レンズの凹凸面１０ａが、表示パネル３０の表示面に対向するように配設される。図１に示した立体視映像表示装置１において立体視映像を実現するためには、一般にレンズ板１０と表示パネル３０との間の距離をレンズ板１０の各レンズの焦点距離と一致させる。このように配設することで、表示パネル３０の各サブピクセル上の焦点は、レンズ板１０の各レンズによってレンズピッチと同じ幅に拡大されることとなる。また各レンズは、表示パネル３０の各サブピクセルから出射される光に指向性を与える働きをする。さらに、表示パネル３０の各サブピクセルから出射される光は、各サブピクセルのカラーフィルタ２０を通過することにより、赤（Ｒ）、緑（Ｇ）、青（Ｂ）に着色される。
【００３０】
ここで、左目と右目の視差について図２のレンズ板１０と表示パネル３０の一部断面を模式的に描いた図を用いて説明する。なお、ここではレンズ板１０と表示パネル３０との間の距離を、レンズ板１０の各レンズの焦点距離ｆと一致させた状態を示すものである。
【００３１】
同図によれば、表示パネル３０には、サブピクセルｐｘ１、ｐｘ２、ｐｘ３、ｐｘ４、ｐｘ５、ｐｘ６…が配置されている。また、レンズ板１０の各レンズのレンズピッチは上述の通り２サブピクセルに相当している。係る配置において、理想的な距離Ｅを隔てて立体視映像表示装置１を見た場合に、左目Ｌからレンズ１４を見ると、レンズ１４の焦点はサブピクセルｐｘ４上の一点に位置する為、レンズ１４の一面にサブピクセルｐｘ４が拡大して見える。
【００３２】
一方、右目Ｒからレンズ１４を見ると、レンズ１４の焦点はサブピクセルｐｘ３の一点に位置する為、レンズ１４の一面にサブピクセルｐｘ３が拡大して見える。このようにレンズ板１０の各レンズの焦点を表示パネル３０の表示面近傍に設定することで、観察者の両目に異なる画像を認識させる（すなわち映像となる。）ことができる。
【００３３】
尚、上記説明では、２眼式の立体視映像表示装置を例に説明したが、３眼式、４眼式、５眼式等も同様である。
【００３４】
［２．表示パネル］
カラーの５眼式立体視表示を行うための、カラーフィルタ２０を利用した表示パネルについて説明する。一般的な装置と同様、表示パネル３０は液晶パネル３５の上にカラーフィルタ２０が配設されて構成されている。そして、表示パネル３０の上にレンズ板が配置されている。ここで、カラーフィルタ２０は光の３原色（赤、青、緑）に着色されているものとし、表示パネル３０の上方に配置されるレンズ板（レンチキュラレンズ）は５眼式のものを用いるものとして説明する。また、レンズ板はモアレの発生を抑えるため、表示パネルのサブピクセルの行方向（水平走査方向）の配列に対して、レンズ板のレンズピッチ方向（マイクロレンズの連接方向）が角度θをなすように斜めに配置されているもの（以下、適宜「斜め配置」という。）として説明する。
【００３５】
更に、色縞がより明瞭になるように、表示パネルは全点灯状態、いわゆるノーマリーブラックにおける白表示状態として図示・説明する。
【００３６】
［２．１  第１カラーフィルタ］
まず、従来と同様のカラーフィルタである第１カラーフィルタ２０ａを利用した場合について説明する。ここで、第１カラーフィルタ２０ａを図３に示す。第１カラーフィルタ２０ａは、光の３原色である赤、緑、青から構成され、列毎に同じ色が配置されているストライプ配列状のカラーフィルタであり、液晶パネル３５の上に配設されている。そして、第１カラーフィルタ２０ａと、液晶パネル３５とを備えて表示パネル３０ａが構成されている。
【００３７】
図４は、ストライプ配列の表示パネル３０ａと、斜め配置による５眼式レンズ板との配置関係を説明するための平面図であり、各画素中に括弧書きとして視点の番号を示した。図４中の線Ａ１、Ａ２及びＡ３は表示パネル３０ａの上方（図４の手前方）に配置されたレンズ板の各レンズの端部の位置を示した線である。レンズの端部とは、例えば、図１に示したレンズ板１０においては、１０ｂ、１０ｃ等のレンズの谷部であり、レンズの境界部を言う。ここで、３つのサブピクセルからなる１つのピクセルの行方向（水平走査方向）の長さ（１ピクセル分の画素幅；行方向の画素ピッチとも呼ばれる）をｐとする。また、１ピクセル分の画素幅に対するサブピクセルの行方向に平行なレンズ板の１マイクロレンズ分の幅Ｌｐは（５／６）ｐとする。
【００３８】
また、表示パネル３０ａの表示面には、薄層の第１カラーフィルタ２０ａが配設されている。従って、表示パネル３０ａを構成する各々のサブピクセルは、第１カラーフィルタ２０ａにより着色されて見えている。このため、表示パネル３０ａの各サブピクセルを、夫々のサブピクセルに配設されたカラーフィルタの色で区別して説明する。
【００３９】
さらに、図４において、レンズ板は、レンズピッチ方向が表示パネル３０ａの行方向（水平走査方向）に対して角度θをなすように斜めに配置されている（図４中、表示パネル３０の列方向（垂直走査方向）とレンズ板のマイクロレンズの境界線とのなす角をθとしているが、同義である）。具体的には、サブピクセルＲ１１とサブピクセルＲ１２を合わせた長方形の対角線の上方にレンズの端部が位置するように（線Ａ１）レンズ板が配置されている。本実施形態において、表示パネル３０ａの１つのサブピクセルは、行方向の長さと列方向の長さの比率が１：３であるため、サブピクセルＲ１１、Ｒ１２を合わせた長方形の行方向の長さと列方向の長さの比率は１：６となる。即ち、θ＝ｔａｎ-1（１／６）≒９．５°である。従って、表示パネル３０ａの各サブピクセルの行方向の配列に対して、レンズ板のレンズピッチ方向が角度θ＝９．５°をなすようにレンズ板が配置されている。なお、ここで使用している角度θの値は一例であり、斜め配置であれば他の角度でも同じ効果が期待できることは勿論である。
【００４０】
このように、表示パネル３０ａの各サブピクセルの行方向の配列に対して、レンズ板の個々のレンズピッチ方向を傾けて配置する（換言すると、表示パネル３０ａの列方向に対して、レンズ板のレンズの端部を傾けて配置する）ことにより、観察者がレンズ板を介して見たときの立体視映像に発生するモアレを分散させて目立たなくさせることができる。
【００４１】
しかし、レンズ板を斜めに配置することによって、各サブピクセルの色が斜め方向に連続して拡大される為、色縞が斜め方向に発生することが分かった。この色縞の発生について説明する。
【００４２】
まず、レンズ板にどのように画像が映し出されるかを図５を用いて簡単に説明する。図５は、レンズ板を構成するレンズの一つであるレンズＬ１０と、表示パネル３０ａの１ピクセル分の垂直断面を簡略的に示した図である。表示パネル３０ａは、赤のサブピクセルＲ１１と、緑のサブピクセルＧ１１と、青のサブピクセルＢ１１とが配置されて構成されている。
【００４３】
まず、図５（ａ）は、観察者から見てレンズＬ１０の左上方（以下、適宜「第１視点」という。）の位置からレンズを見た場合における様子を図示したものであり、図５（ｂ）は、観察者から見てレンズＬ１０の垂直上方から（以下、適宜「第３視点」という。）の位置から、図５（ｃ）は観察者から見てレンズＬ１０の右上方（以下、適宜「第５視点」という。）の位置からレンズを見た場合における様子を図示したものである。
【００４４】
図５（ａ）に示すように、第１視点の位置から観察者がレンズＬ１０を見ると、レンズＬ１０の焦点が赤色のサブピクセルＲ１１上の点Ｆ１０に位置することから、レンズＬ１０には、点Ｆ１０の赤色が拡大されて映し出される。また、図５（ｂ）に示すように、第３視点の位置から観察者がレンズＬ１０を見ると、レンズＬ１０の焦点が緑色のサブピクセルＧ１１上の点Ｆ１２に位置することから、レンズＬ１０には、点Ｆ１２の緑色が拡大されて映し出される。さらに、図５（ｃ）に示すように、第５視点の位置から観察者がレンズＬ１０を見ると、レンズＬ１０の焦点が青色のサブピクセルＢ１１上の点Ｆ１４に位置することから、レンズＬ１０には、点Ｆ１４の青色が拡大されて映し出される。
【００４５】
ここで、第３視点から観察者が見たときの個別視点映像（１つの視点から視認される像のこと）について、図６及び図７を用いて説明する。まず、図６は、表示パネル３０の一部を拡大した図である。直線Ａ１、Ａ２及びＡ３はレンズ板を構成する各レンズのレンズ端部を示すものであり、点線Ｃ１及びＣ２は、各レンズの焦点の位置を示す線（以下、適宜「フォーカスライン」という）を示すものであり、各レンズの中央に位置している。例えば、レンズＬ１２のフォーカスラインは、点線Ｃ１上となるため、第３視点からの個別視点映像は、点線Ｃ１上の点がレンズＬ１２に拡がって映し出された映像となる。
【００４６】
まず、レンズＬ１２のフォーカスライン（レンズＬ１２の中心）となる点線Ｃ１について調べる。点線Ｃ１は、点Ｔ１０から点Ｔ１２の間では緑のサブピクセルＧ１１及びサブピクセルＧ１２上を通過している。従って、レンズＬ１２には、点線Ｃ１の点Ｔ１０から点Ｔ１２までの部分に緑色が拡大されて映し出される。例えば、点Ｔ１８の位置では、レンズ端Ａ１からレンズ端Ａ２までの範囲（図中の太線両矢印線の範囲）に拡がってレンズＬ１２に緑色が映し出される。
【００４７】
続いて、点線Ｃ１は、点Ｔ１２から点Ｔ１４までの間においては、青色に着色されたサブピクセルＢ１２及びＢ１３の上を通過している。従って、レンズＬ１２のうち、点線Ｃ１が点Ｔ１２から点Ｔ１４までの部分には、点Ｔ１２から点Ｔ１４までの色（青色）がその垂直方向に拡大されて映し出される。
【００４８】
同様に、レンズＬ１４のフォーカスライン（レンズＬ１４の中心）となる点線Ｃ２について調べる。点線Ｃ２は、点Ｔ２０から点Ｔ２２の間では赤色に着色されたサブピクセルＲ２１上を通過している。従って、レンズＬ１４のうち、点線Ｃ１が点Ｔ２０から点Ｔ２２までの部分には、点Ｔ２０から点Ｔ２２までの色（赤色）がその垂直方向に拡大されて映し出される。続いて、点線Ｃ２は、点Ｔ２２から点Ｔ２４までの間では緑色に着色されたサブピクセルＧ２１、サブピクセルＧ２２及びサブピクセルＧ２３の上を通過している。従って、レンズＬ１４のうち、点線Ｃ２が点Ｔ２２から点Ｔ２４までの部分には、点Ｔ２２から点Ｔ２４までの色（緑色）がその垂直方向に拡大されて映し出される。さらに、点線Ｃ２は、点Ｔ２４から点２６までの間では青色に着色されたサブピクセルＢ２３の上を通過している。従って、レンズＬ１４のうち、点線Ｃ２が点Ｔ２４から点Ｔ２６までの部分には、点Ｔ２４から点Ｔ２６までの色（青色）がその垂直方向に拡大されて映し出される。以下、同様に各レンズには、各レンズの焦点の位置となるサブピクセルが拡がって映し出されることとなる。
【００４９】
実際に、レンズ板に映し出された様子を表した図（第３視点の個別視点映像）が図７である。点線Ｃ１上の点が、レンズＬ１２のレンズ端Ａ１からレンズ端Ａ２まで拡がって映し出されており、点線Ｃ２上の点が、レンズＬ１４のレンズ端Ａ２からレンズ端Ａ３まで拡がって映し出されている。
【００５０】
図８（ａ）は、図７の個別視点映像に比べて、より大きい範囲を示した図である。図８（ａ）において、例えばＴ１とＴ２とを結ぶ線上に暗い色縞（青色のサブピクセル）が映し出されていることが分かる。さらに、その隣には、Ｔ３とＴ４とを結ぶ線上に明るい色縞（緑色のサブピクセル）が映し出されている。そして、これらの色縞はレンズ板１０全体に映し出される。このように、表示パネル３０ａのサブピクセルの行方向に対して、レンズ板のレンズピッチ方向を角度θ傾かせて配置したことによって、レンズ板に映し出された映像に人間の目の空間分解能で認識可能な色縞が発生するため、映像の画質が低下してしまうのである。
【００５１】
ここで、図８（ａ）の個別視点映像において、色縞の発生している様子をフーリエパワースペクトル（以下、単に「パワースペクトル」という。）を用いて説明する。パワースペクトルについては、公知であるため、その詳細については説明を省略する。
【００５２】
図８（ｂ）は、図８（ａ）のパワースペクトルを示した図である。ここで、破線円ＣＲは目安として示したもので、その半径は、第１カラーフィルタ２０ａにレンズ板が配置されていないときの縞の空間周波数に相当するものである。
【００５３】
具体的に図９を用いて説明すると、図９（ａ）は、第１カラーフィルタ２０ａを液晶パネル３５の上方に配設した平面図である。この状態の映像（平面視の映像）のパワースペクトルが図９（ｂ）である。図９（ｂ）における明るい点は、表示パネル３０のカラーフィルタの周期性を示している。すなわち、破線円ＣＲの半径は、表示パネル３０における細かい色縞模様の周期に相当している。一つの目安としては、この破線円ＣＲの内側、特に中心に近い位置に輝点（明るい点）が現れれば、粗い縞模様が目立っているということになる。より具体的には、輝点が明るいほど縞模様の濃淡がはっきりしたものであり、さらに、複数の輝点の位置関係に方向性が認められれば、その方向に周期性を持った縞模様が観察されることになるといえる。
【００５４】
図８（ｂ）に戻り、色縞の発生への影響が大きい、破線円ＣＲの内側の輝点を中心に検討する。
【００５５】
まず、図８（ｂ）のパワースペクトルでは、破線円ＣＲの中心点の近くに輝点が存在している。このことより、図８（ａ）の立体視画像には、強い色縞が発生していることがわかる。また、破線円ＣＲ内の明るい点は、左下から右上方向に連続して複数存在しており、明るい点がこの一列に集中していることから、一定の方向性を持った低周波成分が多く、又強いことがわかる。従って、図８（ａ）においては、一定方向の色縞が強く発生している様子がわかる。
【００５６】
このように、従来から用いられている第１カラーフィルタ２０ａのように、配色パターンが列方向で同一であるカラーフィルタを用いた場合には、色縞が発生してしまい、立体視映像の画質を低下させてしまっていた。
【００５７】
［２．２  第２カラーフィルタ］
そこで、本発明を適用した第２カラーフィルタ２０ｂを備えて構成されている表示パネル３０ｂについて説明する。図１０は、第２カラーフィルタ２０ｂを示した図である。第２カラーフィルタ２０ｂは、第１カラーフィルタ２０ａの配色パターンが行毎にずれたものである。例えば、左上の１ピクセルに注目すると、左から順番に「赤・緑・青」のサブピクセルが配置されている。ここで、当該ピクセルの下に位置する２行目のピクセルに注目すると、左から順番に「青・赤・緑」のサブピクセルが配置されている。さらに３行目のピクセルに注目すると左から順番に「緑・青・赤」のサブピクセルが配置されている。このように、第２カラーフィルタ２０ｂは、ピクセルの配色パターンが、対象ピクセルの上にあるピクセルの配色パターンを右に１つ分ずらしたパターンとして配置されているものである。
【００５８】
第２カラーフィルタ２０ｂが液晶パネル３５の上方に配設されて表示パネル３０ｂを構成したときにおいて、第３視点からの個別視点映像を画像化した一例が図１１（ａ）である。図１１（ａ）によれば、表示パネル３０ｂには、左下から右上方向に弱い色縞が確認される。具体的には、表示パネル３０には、Ｔ２０からＴ２２まで暗い色縞（青色）が線上に確認される。ここで、第１カラーフィルタ２０ａを用いた図８（ａ）と比較した場合に、視覚的に色縞が弱いことが確認できる。
【００５９】
客観的に比較するために、図１１（ａ）の個別視点映像のパワースペクトルを示したものが図１１（ｂ）である。破線円ＣＲ内の点は、左下から右上方向に連続して存在している（一定の方向性を持った低周波成分が多い）ことから、一定の方向に色縞が発生していることがわかる。しかし、破線線ＣＲ内に存在する明るい点の輝度が、図８（ｂ）と比較して弱くなっていることから、全体として色縞が弱いことが確認できる。
【００６０】
このように、第２カラーフィルタ２０ｂを利用することにより、第１カラーフィルタ２０ａを利用する場合に比べて、色縞を減少させることができる。従って、観察者は、立体視映像表示装置においてより高画質な映像を鑑賞することができる。
【００６１】
［２．３  第３カラーフィルタ］
続いて、本発明を適用した第３カラーフィルタ２０ｃを備えて構成されている表示パネル３０ｃについて説明する。図１２は、第３カラーフィルタ２０ｃを示した図である。第３カラーフィルタ２０ｃは、第１カラーフィルタ２０ａの配色パターンが行毎にずれたものである。例えば、左上の１ピクセルに注目すると、左から順番に「赤・緑・青」のサブピクセルが配置されている。ここで、当該ピクセルの下に位置する２行目のピクセルに注目すると、左から順番に「緑・青・赤」のサブピクセルが配置されている。さらに３行目のピクセルに注目すると左から順番に「青・赤・緑」のサブピクセルが配置されている。このように、第３カラーフィルタ２０ｃは、ピクセルの配色パターンが、対象ピクセルの上にあるピクセルの配色パターンを右に２つ分ずらしたパターン（左に１つ分ずらしたパターン）として配色されているものである。
【００６２】
第３カラーフィルタ２０ｃが、液晶パネル３５の上方に配置されて表示パネル３０ｃを構成したときにおいて、第３視点からの個別視点映像を画像化した一例が図１３（ａ）である。図１３（ａ）によれば、表示パネル３０ｃは、左上から右下方向に弱い色縞が確認される。具体的には、Ｔ２４からＴ２６まで暗い色縞（青色）が確認されるが、第１カラーフィルタ２０ａを用いた図８（ａ）と比較した場合に、視覚的に色縞が弱く感じられ、更に第２カラーフィルタ２０ｂを用いた図１１（ａ）よりも視覚的に更に色縞が弱く感じられる。
【００６３】
客観的に比較するために、図１３（ａ）の立体視画像のパワースペクトルを示したものが図１３（ｂ）である。破線円ＣＲの中の明るい点については、特定の方向への偏りは見られないことから、図１３（ａ）において色縞が抑制されていることを示している。また、破線円ＣＲの中にある明るい点については中心点から比較的離れていることから、粗い色縞が発生していないことがわかる。
【００６４】
このように、第３カラーフィルタ２０ｃを利用することにより、第１カラーフィルタ２０ａを利用する場合に比べて、色縞の発生をより効果的に抑制させることができる。実際に適用する場合には、第２カラーフィルタ２０ｂ、第３カラーフィルタ２０ｃを用いた場合の予想結果を比較し、、より効果の高いカラーフィルタを利用することにより、より効果的に色縞の発生を抑制することができる。すなわち、サブピクセルの縦横比や、１ピクセル分の画素幅に対するサブピクセルの列方向に平行なレンズ板の１マイクロレンズ分の幅Ｌｐ等によって、第２カラーフィルタ２ｂ及び第３カラーフィルタ２０ｃの何れが効果的か判断して利用することにより、より有効に色縞の発生を抑制できる。例えば、本実施の形態における斜めに配置されたレンチキュラレンズを用いた立体視映像表示装置１の構成においては、第２カラーフィルタ２０ｂよりも第３カラーフィルタ２０ｃを用いたときの方が色縞の発生が抑制されていることから、第３カラーフィルタ２０ｃを用いることによって、さらに高画像な映像を観察者は鑑賞することができる。
【００６５】
［２．４  表示例］
図１４、図１５及び図１６は、それぞれの表示パネル３０ａ〜３０ｃに白地に黒色で文字「遊」を表示させた場合にレンズ板に映し出された個別視点映像を示した図である。図１４は第１カラーフィルタ２０ａが配設された場合、図１５は第２カラーフィルタ２０ｂが配設された場合、図１６は第３カラーフィルタ２０ｃが配設された場合における図をそれぞれ示している。
【００６６】
図に示した映像を比較すると、第１カラーフィルタ２０ａが配設された場合には、図１４に示すように、レンズ板に映し出される映像に人間の眼の空間分解能で捕らえることのできる色縞が画面左上から右下に向かって斜め直線上に強く発生している。従って、観察者は「遊」という文字を認識しにくい状態である。これに対し、第２カラーフィルタ２０ｂが配設された図１５においては、色縞が左下から右上に向かって斜め直線上に発生しているが、第１カラーフィルタ２０ａを使用したときに比べて色縞が細かくなっている。従って、観察者は文字「遊」を明確に認識することができる。さらに、第３カラーフィルタ２０ｃが配設された図１６においては、色縞が人間が肉眼では捕らえにくい状態となっており、観察者は「遊」をより明確に認識することができる。
【００６７】
このように、従来の第１カラーフィルタ２０ａと比較して、配色パターンを行毎に１つずつずらした第２カラーフィルタ２０ｂ、配色パターンを行毎に２つずつずらした第３カラーフィルタ２０ｃを利用することにより、観察者はより高画質な立体視映像を認識することが可能となる。
【００６８】
［３．具体的な表示例］
図１７から図２０は、表示パネル３０ａ〜３０ｃにそれぞれ具体的な画像を表示させた場合における一例を示した図である。図１７（ａ）は、立体視画像としてインターリーブ処理される前の個別視点映像（１つの視点の画像）、即ち原画を示したものである。また、図１７（ｂ）は第１カラーフィルタ２０ａが配設された表示パネル３０ａにおける個別視点映像を画像化したものである。図１７（ｃ）は、第３カラーフィルタ２０ｃが配設された表示パネル３０ｃにおける個別視点映像を画像化したものである。なお、レンズ効果による色の偏りを、元の輝度のまま再現することは出来ないため、原画像、イメージ画像ともに、暗くした状態で表示している。
【００６９】
第１カラーフィルタ２０ａが配設された場合には、図１７（ｂ）のように左上方向から右下方向に色縞が発生していることが確認（視認）できる。従って、観察者にとっては色縞が障害となり映像を認識しにくくなっている。しかし、第３カラーフィルタ２０ｃが配設されたことによって、図１７（ｃ）に示すように、色縞が抑制され、原画像を示した図１７（ａ）と比較しても遜色ない画質を提供している。よって、観察者は色縞に影響されずに映像を認識することが可能となる。
【００７０】
図１８から図２０においても同様に、図１８（ａ）、図１９（ａ）及び図２０（ａ）は原画を示したものであり、第１カラーフィルタ２０ａが配設された表示パネル３０ａにおける個別視点映像を画像化したものが図１８（ｂ）、図１９（ｂ）及び図２０（ｂ）で、第３カラーフィルタ２０ｃが配設された表示パネル３０ｃにおける個別視点映像を画像化したものが図１８（ｃ）、図１９（ｃ）及び図２０（ｃ）である。何れの映像においても、カラーフィルタ２０ｃが配設された表示パネル３０ｃにおける個別視点映像は原画と比較しても遜色ない画質を提供されており、従来の第１カラーフィルタ２０ａと比較して極めて高い効果を発揮することができる。
【００７１】
［４．変形例］
本実施形態で説明した立体視映像表示装置は、立体視画像を表示する場合として説明したが、平面視画像を表示する場合に適用されたとしても、平面視画像の画質は損なわないのは勿論である。
【００７２】
また、本実施形態においては、斜めに配置されたレンチキュラレンズ板を用いた立体視映像表示装置について説明したが、これに限られる訳ではなく、例えば、斜め配置と同様の効果を狙って、マイクロレンズ群を階段上に配置した階段レンチキュラ方式や、光学的に等価であるパララックスバリア方式でも良いことは勿論である。以下、夫々の場合について図を用いて説明する。
【００７３】
［４．１  階段レンチキュラ方式］
まず、階段レンチキュラレンズを備えて構成されている場合について説明する。ここで、階段レンチキュラレンズとは、レンズピッチ方向が表示パネル３０の行方向（水平走査方向）に平行に連接されたマイクロレンズ群を、水平走査方向に所定量ずつずらされて列方向（垂直走査方向）に配列されて成るレンチキュラレンズのことを言う。
【００７４】
図２１は、表示パネルに、階段レンチキュラレンズ１２を配置したときの状態の例を示した図である。図に示すように、階段レンチキュラレンズ１２は、行方向に連接されたマイクロレンズ群が、レンズ幅の１／５の割合分（レンズ幅を視点数で割った長さ）行方向にずらされて列方向に順々に配列されたレンチキュラレンズである。ここで、本図において示した階段レンチキュラレンズ１２は、１つのマイクロレンズ群が画素１行分に相当するものとしたが、これに限定されるものではなく、マイクロレンズ群が複数行（例えば２行、３行等）に相当するもの、すなわちマイクロレンズ群の列方向の長さを複数画素の列方向の長さにすることとしても良いのは勿論である。
【００７５】
また、図２１の点線部は、各マイクロレンズのフォーカスラインを示すものである。立体視映像表示装置は、各マイクロレンズのフォーカスラインの位置の色が、レンズ一面に拡大されて表示される。
【００７６】
図２２は、表示パネルのカラーフィルタを第１カラーフィルタ２０ａとしたときの個別視点映像を画像化した図である。図に示されたように、左上から右下にかけて同色の色が配色されていることにより、色縞が発生している。
【００７７】
図２３は、表示パネルのカラーフィルタを第３カラーフィルタ２０ｃとしたときの個別視点映像を画像化した図である。サブピクセルの夫々の色が連続して表示されていないことから、色が分散して色縞が抑制されている。
【００７８】
このように、階段レンチキュラレンズを用いた立体視映像表示装置においても、行毎に配色パターンをずらされた表示パネルを利用することにより、色縞を抑えることができ、より高画質な画像を提供することができる。
【００７９】
［４．２  パララックスバリア方式］
続いて、パララックスバリア方式を用いた場合について説明する。ここで、表示パネルと所定距離（観察適視距離と視点間距離から計算される距離）だけ離した位置に、パララックスバリアを配置する。ここで、パララックスバリアについては、それ自体の構成は公知のものであるため、その詳細な説明を省略するが、パララックスバリアの構成部材としては例えば液晶パネルがある。具体的には、一方の液晶パネルはカラーフィルタと共に表示パネルを構成し、他方の液晶パネルはカラーフィルタを備えること無くバリア用のパネルを構成するものとする。ここで、一例として斜めパララックスバリア方式と、階段パララックスバリア方式について本発明を適用した場合について説明する。
【００８０】
［４．２．１  斜めパララックスバリア方式］
まず、パララックスバリアを斜めに配置した場合について説明する。図２４は、表示パネルと所定距離だけ離れた位置であり、且つ、バリア開口部が表示パネルの列方向（垂直走査方向）に対して斜めに位置するように、パララックスバリアを配置した状態を示した概略図であり、実際にはパララックスバリアが、表示パネルの一面に配置されているものであるが、説明の都合上バリア開口部（Ｐ１２）１つ分のパララックスバリア（以下「単位バリア」という。）Ｐ１０のみを示している。すなわち、単位バリアＰ１０が行方向（水平方向）に連結して全体のバリアを構成している。また、図２６における黒い部分は、単位バリアＰ１０によって遮光される遮光バリア部分である。
【００８１】
図２５は、表示パネルのカラーフィルタを第１カラーフィルタ２０ａとしたときの個別視点映像を画像化した図である。図に示された点線に着目すると、左上から右下にかけて同色の色が配色されていることにより、色縞が発生している。
【００８２】
図２６は、表示パネルのカラーフィルタを第３カラーフィルタ２０ｃとしたときの個別視点映像を画像化した図である。第３カラーフィルタ２０ｃを利用した場合には、各色が分散されて表示されているため、色縞が抑制されている。
【００８３】
このように、パララックスバリア板を斜めに配置した立体視映像表示装置においても、行毎に配色パターンがずらされた表示パネルを利用することにより、色縞を抑えることができ、より高画質な画像を提供することができる。
【００８４】
［４．２．２  階段パララックスバリア方式］
続いて、階段パララックスバリア方式を利用した場合について説明する。図２７は、各単位バリアのバリア開口部Ｐ１２ｂを表示パネルの列方向に平行とし、且つ行方向に連接されたバリア群が、行方向に所定量ずつずらされて列方向に配列された階段パララックス単位バリアＰ１０ｂを、表示パネルと所定距離だけ離した位置に配置した状態を示した概略図であり、説明の都合上、列方向に隣接する３つの単位バリアのみを示した図である。なお、本図において示した階段パララックスバリアは、１つのバリア群が画素１行分に相当するものとしたが、これに限定されるものではなく、バリア群が複数行（例えば２行、３行等）に相当するもの、すなわちバリア群の列方向の長さを複数画素の列方向の長さにすることとしても良いのは勿論である。
【００８５】
図２８は、表示パネルのカラーフィルタを第１カラーフィルタ２０ａとしたときの個別視点映像を画像化した図である。図に示された点線に着目すると、左上から右下にかけて同色の色が配色されていることにより、色縞が発生している。
【００８６】
図２９は、表示パネルのカラーフィルタを第３カラーフィルタ２０ｃとしたときの個別視点映像を画像化した図である。第３カラーフィルタ２０ｃを利用した場合には、各色が分散されて表示されているため、色縞が抑制されている。
【００８７】
このように、パララックスバリア板を階段状に配置した立体視映像表示装置においても、行毎に配色パターンがずらされた表示パネルを利用することにより、色縞を抑えることができ、より高画質な画像を提供することができる。
【００８８】
なお、パララックスバリア方式は、レンチキュラレンズ方式と比較すると、目に見える発光面積が狭くなってしまうため、発生する色縞はレンチキュラレンズ方式の場合と比較して、目立ちにくくなる。しかし、画面全体の明るさ、すなわち１つの視点（個別視点）の映像が暗くなってしまうため、画面全体の明るさを元の状態に近づけるために、バックライトの輝度を強くする方法がとられることが多い。この場合、パララックスバリアを通過した光は、回り込みの特性によって周囲に拡がって見えることとなり、結果としてやはり色縞が目立つようになる。
【００８９】
図３０は、第１カラーフィルタ２０ａを利用した場合におけるパララックスバリア方式において、バックライトの輝度を強くしたときの個別視点映像を画像化したものである。この場合、画面左上から右下にかけて同じ色が連続して表示されるために、色縞が強く発生している。
【００９０】
図３１は、第３カラーフィルタ２０ｃを利用した場合におけるパララックスバリア方式において、バックライトの輝度を強くしたときの個別視点映像を画像化したものである。このように、第３カラーフィルタ２０ｃを利用することにより、各色が分散し、色縞が抑制される。
【００９１】
このように、行毎に配色パターンがずらされたカラーフィルタを利用することにより、配色パターンが同一であって各行のズレがないカラーフィルタで構成されている立体視映像表示装置に比べて、極めて効果的に色縞の発生を抑制させることができる。
【００９２】
さらに、以上説明した立体視映像表示装置は、図４に示す５眼式レンチキュラレンズ（及び、それに相当する階段レンチキュラレンズ、パララックスバリア、階段パララックスバリア）を用いて説明したが、これに限定されないことも勿論である。
【００９３】
例えば、図３２に示すのは、７眼式のレンチキュラレンズを表示パネル３０の上に配置したときの平面図である。なお、各画素中の数字は視点の番号を示している。ここで、１ピクセル分の画素幅に対するサブピクセルの行方向に平行なレンズ板の１マイクロレンズ分の幅Ｌｐは、（７／６）ｐであるものとする。
【００９４】
図３３は、図３２の７眼式レンチキュラレンズを用いた場合の個別視点映像の図である。図３３（ａ）は、表示パネルのカラーフィルタを第１カラーフィルタ２０ａとしたときの個別視点映像を画像化した図である。左下から右上にかけて斜めに、強い色縞が発生している。しかし、第２カラーフィルタ２０ｂとした場合（図３３（ｂ））、又は第３カラーフィルタ２０ｃとした場合（図３３（ｃ））を比較すると、第２カラーフィルタ２０ｂ又は第３カラーフィルタ２０ｃを使用することにより、色縞が抑制されていることが確認できる。このように、図３２のような７眼式のレンチキュラレンズを用いた立体視映像表示装置であっても、画質を向上させる効果を発揮することができる。
【００９５】
また、図３５は、表示パネルの各画素と視点との関係が図３４に示すような関係となっている場合の４眼式の立体視映像表示装置の階段レンチキュラレンズの図である。ただし、図３５には一部のレンチキュラレンズのみを示しているが、実際には図に示したレンチキュラレンズが列方向及び行方向に連結されて全体のレンチキュラレンズ板を構成している。図３６は、表示パネルのカラーフィルタを第１カラーフィルタ２０ａとしたときの個別視点画像（図３４における第１視点画像）を示したものである。右上から左下にかけて斜めに、強い色縞が発生している。しかし、第３カラーフィルタ２０ｃを用いた場合、図３７のように、色縞が抑制されていることが確認される。
【００９６】
さらに、図３８は、表示オアネルの各画素と視点との関係が図３４に示すような関係となっている場合の４眼式の立体視映像表示装置の階段パララックスバリアの図である。ただし、図３８には一部のバリアのみを示しているが、実際には図に示したバリアが列方向及び行方向に連結されて全体のパララックスバリア板を構成している。図３９は、表示パネルのカラーフィルタを第１カラーフィルタ２０ａとしたときの個別視点画像（図３４における第１視点画像）を示したものである。右上から左下にかけて斜めに、色縞が発生している。しかし、第３カラーフィルタ２０ｃを用いた場合、図４０のように、色縞が抑制されていることが確認される。
【００９７】
以上のように、画像表示パネルに表示された複数視点用の画像を、レンチキュラレンズやパララックスバリアを用いて各視点毎の画像に分離する立体視映像表示装置において、
配列パターンを行毎にずらして配列されたカラーフィルタを用いることにより、色縞を抑制して画質を向上させる効果を発揮することができる。
【００９８】
尚、上記実施形態においては、ディスプレイとしてはカラーフィルタ方式の液晶ディスプレイとして説明したが、発光色が決められた画素が格子状に配置されたカラー表示可能なものであり、上記の光学手段を組み合わせることで立体視が可能になるものであれば種類は問わない。例えば、プラズマディスプレイ、無機ＥＬ（Electroluminescence）ディスプレイ又は有機ＥＬディスプレイ等が考えられる。さらに、カラーフィルタを使わないものでも、単色発光素子を配列した有機ＥＬディスプレイやＬＥＤ（Light Emitting Diode）ディスプレイのように、赤（Ｒ）、緑（Ｇ）、青（Ｂ）等の単色に自発光する素子を配置したディスプレイであれば、適用可能である。
【図面の簡単な説明】
【００９９】
【図１】２眼式立体視映像表示装置の表示面に対する垂直断面図。
【図２】レンズ板を見る位置と見えるサブピクセルの違いについて説明するための図。
【図３】第１カラーフィルタを説明するための図。
【図４】表示パネルの平面図と、表示パネルの上方にレンズ板を配置したときの断面図。
【図５】視点の位置によって、レンズに映し出されるサブピクセルを説明するための図。
【図６】表示パネルの平面図と、表示パネルの上方にレンズ板を配置したときの断面図。
【図７】個別視点映像について説明するための図。
【図８】（ａ）第１カラーフィルタを用いた場合における個別視点映像を画像化した図、（ｂ）第１カラーフィルタを用いた場合における個別視点画像のパワースペクトルを表した図。
【図９】（ａ）表示パネルの上方に第１カラーフィルタを配設し、レンズ板を配置しないときの平面図、（ｂ）表示パネルの上方に第１カラーフィルタを配設し、レンズ板を配置しないときのパワースペクトルを表した図。
【図１０】第２カラーフィルタを説明するための図。
【図１１】（ａ）第２カラーフィルタを用いた場合における個別視点映像を画像化した図、（ｂ）第２カラーフィルタを用いた場合における個別視点画像のパワースペクトルを表した図。
【図１２】第３カラーフィルタを説明するための図。
【図１３】（ａ）第３カラーフィルタを用いた場合における個別視点映像を画像化した図、（ｂ）第３カラーフィルタを用いた場合における個別視点画像のパワースペクトルを表した図。
【図１４】第１カラーフィルタを用いた表示パネルに表示された画像を、レンズ板が映し出した映像の一例を示した図。
【図１５】第２カラーフィルタを用いた表示パネルに表示された画像を、レンズ板が映し出した映像の一例を示した図。
【図１６】第３カラーフィルタを用いた表示パネルに表示された画像を、レンズ板が映し出した映像の一例を示した図。
【図１７】（ａ）原画像を示した図、（ｂ）原画像を、第１カラーフィルタを用いた表示パネルに表示し、レンズ板が映し出した一例を示す図、（ｃ）原画像を、第３カラーフィルタを用いた表示パネルに表示し、レンズ板が映し出した一例を示す図。
【図１８】（ａ）原画像を示した図、（ｂ）原画像を、第１カラーフィルタを用いた表示パネルに表示し、レンズ板が映し出した一例を示す図、（ｃ）原画像を、第３カラーフィルタを用いた表示パネルに表示し、レンズ板が映し出した一例を示す図。
【図１９】（ａ）原画像を示した図、（ｂ）原画像を、第１カラーフィルタを用いた表示パネルに表示し、レンズ板が映し出した一例を示す図、（ｃ）原画像を、第３カラーフィルタを用いた表示パネルに表示し、レンズ板が映し出した一例を示す図。
【図２０】（ａ）原画像を示した図、（ｂ）原画像を、第１カラーフィルタを用いた表示パネルに表示し、レンズ板が映し出した一例を示す図、（ｃ）原画像を、第３カラーフィルタを用いた表示パネルに表示し、レンズ板が映し出した一例を示す図。
【図２１】表示パネルの平面図と、表示パネルの上方に階段レンチキュラレンズを配置したときの図。
【図２２】階段レンチキュラレンズにおいて、第１カラーフィルタを用いた場合における個別視点映像を画像化した図。
【図２３】階段レンチキュラレンズにおいて、第３カラーフィルタを用いた場合における個別視点映像を画像化した図。
【図２４】表示パネルの平面図と、表示パネルの上方に斜めパララックスバリアを配置したときの図。
【図２５】斜めパララックスバリアにおいて、第１カラーフィルタを用いた場合における個別視点映像を画像化した図。
【図２６】斜めパララックスバリアにおいて、第３カラーフィルタを用いた場合における個別視点映像を画像化した図。
【図２７】表示パネルの平面図と、表示パネルの上方に階段パララックスバリアを配置したときの図。
【図２８】階段パララックスバリアにおいて、第１カラーフィルタを用いた場合における個別視点映像を画像化した図。
【図２９】階段パララックスバリアにおいて、第３カラーフィルタを用いた場合における個別視点映像を画像化した図。
【図３０】第１カラーフィルタを利用した階段パララックスバリア方式において、バックライトの輝度を強くした場合における個別視点映像を画像化した図。
【図３１】第３カラーフィルタを利用した階段パララックスバリア方式において、バックライトの輝度を強くした場合における個別視点映像を画像化した図。
【図３２】７眼式レンチキュラレンズを表示パネルに配置することを説明するための図。
【図３３】７眼式レンチキュラレンズを用いた場合において、（ａ）第１カラーフィルタを用いた場合、（ｂ）第２カラーフィルタを用いた場合、（ｃ）第３カラーフィルタを用いた場合における個別視点映像を画像化した図。
【図３４】４視点の表示パネルの平面図を示した図。
【図３５】４眼式の表示パネル平面図と、表示パネルの上方に階段レンチキュラレンズを配置した図。
【図３６】階段レンチキュラレンズにおいて、第１カラーフィルタを用いた場合における個別視点映像を画像化した図。
【図３７】階段レンチキュラレンズにおいて、第３カラーフィルタを用いた場合における個別視点映像を画像化した図。
【図３８】４眼式の表示パネルの平面図と、表示パネルの上方に階段パララックスバリアを配置したときの図。
【図３９】階段パララックスバリアにおいて、第１カラーフィルタを用いた場合における個別視点映像を画像化した図。
【図４０】階段パララックスバリアにおいて、第３カラーフィルタを用いた場合における個別視点映像を画像化した図。
【符号の説明】
【０１００】
１０  レンズ版
１２  階段レンチキュラレンズ
２０  カラーフィルタ
２０ａ  第１カラーフィルタ
２０ｂ  第２カラーフィルタ
２０ｃ  第３カラーフィルタ
３０、３０ａ、３０ｂ、３０ｃ  表示パネル
３５  液晶パネル
４０  バックライト
【図１】
2005234198.tif 000003
【図２】
2005234198.tif 000004
【図３】
2005234198.tif 000005
【図４】
2005234198.tif 000006
【図５】
2005234198.tif 000007
【図６】
2005234198.tif 000008
【図７】
2005234198.tif 000009
【図８】
2005234198.tif 000010
【図９】
2005234198.tif 000011
【図１０】
2005234198.tif 000012
【図１１】
2005234198.tif 000013
【図１２】
2005234198.tif 000014
【図１３】
2005234198.tif 000015
【図１４】
2005234198.tif 000016
【図１５】
2005234198.tif 000017
【図１６】
2005234198.tif 000018
【図１７】
2005234198.tif 000019
【図１８】
2005234198.tif 000020
【図１９】
2005234198.tif 000021
【図２０】
2005234198.tif 000022
【図２１】
2005234198.tif 000023
【図２２】
2005234198.tif 000024
【図２３】
2005234198.tif 000025
【図２４】
2005234198.tif 000026
【図２５】
2005234198.tif 000027
【図２６】
2005234198.tif 000028
【図２７】
2005234198.tif 000029
【図２８】
2005234198.tif 000030
【図２９】
2005234198.tif 000031
【図３０】
2005234198.tif 000032
【図３１】
2005234198.tif 000033
【図３２】
2005234198.tif 000034
【図３３】
2005234198.tif 000035
【図３４】
2005234198.tif 000036
【図３５】
2005234198.tif 000037
【図３６】
2005234198.tif 000038
【図３７】
2005234198.tif 000039
【図３８】
2005234198.tif 000040
【図３９】
2005234198.tif 000041
【図４０】
2005234198.tif 000042